(57)【要約】      （修正有）【課題】直接関係する複数の測定値を直接的で視覚的な比較を可能にする方法で表示する棒グラフディスプレイシステムを提供する。【解決手段】ディスプレイ１０は、棒グラフの各バー１４がパラメータの数値または他の定量的な値を描出するように構成される。各バー１４には、棒グラフ中に示された（１つまたは複数の）バー１４によって表される数値に関係する数値を表す１つまたは複数の追加のしるし１６が形成される。１つまたは複数の追加のしるし１６の各々は、追加のしるし１６が対応するそれぞれのバー１４の上に重ね合わせられ、バー１４によって表される値と１つまたは複数の追加のしるし１６によって表される値との間の（１つまたは複数の）関係を描出するように配置される。【選択図】図１
2013174881.tif 000002
【特許請求の範囲】
【請求項１】
センサ（１０２）から信号（１０３）を受信するように構成された制御装置（１０６）であって、前記信号（１０３）が検知した事象の定量的な特性を表し、前記制御装置（１０６）がディスプレイ信号を生成するようにさらに構成される、制御装置（１０６）と、
前記制御装置（１０６）と動作的に結合したディスプレイ装置（１０）であって、前記ディスプレイ装置（１０）が前記ディスプレイ信号に対応するディスプレイ画像を描出するように構成され、前記ディスプレイ画像が検知した事象の前記定量的な特性に対応する数値を図示する少なくとも１つのバー（１４）を有する棒グラフを含む、ディスプレイ装置（１０）と、
検知した事象の前記定量的な特性の定量的な下位要素に対応する少なくとも１つのしるし（１６）であって、前記少なくとも１つのしるしが前記棒グラフの前記少なくとも１つのバー（１４）の上に重ね合わせられる、少なくとも１つのしるし（１６）と
を備えた、ディスプレイシステム（１０４）。
【請求項２】
前記ディスプレイ装置（１０）が、検知した事象の複数の定量的な特性に対応する複数の数値を図示する複数のバー（１４、１８）を含む棒グラフを表示するようにさらに構成され、表示された各バー（１４、１８）が、検知した事象の前記複数の定量的な特性のそれぞれ１つの定量的な下位要素に対応する少なくとも１つのしるし（１６、２０）を含む、請求項１記載のディスプレイシステム（１０４）。
【請求項３】
前記ディスプレイ装置（１０）が、検知した事象の前記定量的な特性の前記少なくとも１つの定量的な下位要素の状態を表す非定量的な特性を含む少なくとも１つのしるし（１６）を含む棒グラフを表示するようにさらに構成される、請求項１記載のディスプレイシステム（１０４）。
【請求項４】
前記非定量的な特性が色である、請求項３記載のディスプレイシステム（１０４）。
【請求項５】
前記非定量的な特性の前記色が、検知した事象の前記定量的な特性の前記少なくとも１つの定量的な下位要素の状態の変化に応じて変化する、請求項４記載のディスプレイシステム（１０４）。
【請求項６】
前記少なくとも１つのしるし（１６）が、水平に延びるチックの形式である、請求項１記載のディスプレイシステム（１０４）。
【請求項７】
センサ（１０２）から送信されるセンサ信号（１０３）を受信するように制御装置（１０６）を構成するステップであって、前記センサ信号（１０３）が検知した事象の定量的な特性を表す、ステップと、
前記制御装置（１０６）によって生成されたディスプレイ信号を受信するためにディスプレイ装置（１０）を前記制御装置（１０６）と結合するステップと、
ディスプレイ画像を作成するために前記ディスプレイ装置（１０）へディスプレイ信号を与えるように前記制御装置（１０６）を構成するステップと、
検知した事象の前記定量的な特性に対応する数値を図示する少なくとも１つのバー（１４）を含む棒グラフを前記ディスプレイ画像中に形成するステップと、
検知した事象の前記定量的な特性の定量的な下位要素に対応する少なくとも１つのしるし（１６）を有する前記ディスプレイ画像を形成するステップと、
前記棒グラフの前記少なくとも１つのバー（１４）の上に前記少なくとも１つのしるし（１６）を重ね合わせるステップと
を含む、画像を表示するための方法。
【請求項８】
検知した事象の前記定量的な特性に対応する数値を図示する少なくとも１つのバー（１４）を有する棒グラフを前記ディスプレイ画像中に形成するステップが、
検知した事象の複数の定量的な特性に対応する複数の数値を図示する複数のバー（１４、１８）を有する前記棒グラフを形成するステップと、
検知した事象の前記定量的な特性の定量的な下位要素に対応する少なくとも１つのしるし（１６、２０）を有する各バー（１４、１８）を形成するステップと
をさらに含む、請求項７記載の画像を表示するための方法。
【請求項９】
前記少なくとも１つのしるし（１６）が、検知した事象の前記定量的な特性の前記少なくとも１つの定量的な下位要素の状態を表す非定量的な特性を含む、請求項７記載の画像を表示するための方法。
【請求項１０】
前記非定量的な特性が色である、請求項９記載の画像を表示するための方法。
【発明の詳細な説明】
【技術分野】
【０００１】
本発明は、全体として計装機器ディスプレイに関し、より具体的には、試験装置、モニタ装置、および製造装置において使用するディスプレイに関する。
【背景技術】
【０００２】
アクティブ棒グラフディスプレイは、例えば、産業用の制御室内の計装機器、産業用の試験装置上の計装機器、および個別の機械制御装置上の計装機器に見られるディスプレイの一般に使用される形態である。かかるディスプレイは、例えば、スプレッドシートスタイルのアプリケーションを介してなどで、定量的データを表示し、比較を可能にする単純で容易な読出し形式および解釈形式を提供する。例えば、それぞれの数値を比較する目的のために、複数の数値を同時に示す必要がある場合には、複数の「バー」を多くの場合に表示する。例えば、一方を他のものの後ろかつ横にした状態で（疑似三次元方式で）複数のバーを横並びに、または縦並びのパターンで表示することによって、定量的なデータを比較することを、より容易にすることができる。
【０００３】
しかしながら、既知の機器ディスプレイ上に与えられる利用可能な可視領域は、多くの場合には限られている。例えば、棒グラフの複数のバーを横並びの配置または縦並びの配置で同時に表示することを可能にするためには十分な領域がないことがある。領域の限られたディスプレイでは、関係するデータまたは測定値を再検討するためまたは比較するために、利用者は複数の画面を検索することを必要とすることがある、または利用者は複数の別々のディスプレイ装置もしくはモニタ装置を使用することを必要とする。あるいは、複数のバーを同時に見ることができるようにするために画像の縮尺を縮小することは、特に測定値の階調表記または他の単位において、容易に見えるようにするためには小さ過ぎる大きさに表示された画像という結果をもたらすことがある。関係するデータまたは測定値を同時に見ることを可能にするかかる代替案の使用は、コストの上昇および／または効率の低下をもたらすことがある。
【発明の概要】
【０００４】
複数の定量的な値および／または数値、特に互いに直接関係することがある測定値を、複数の特性間の関係を含むそれぞれの測定した特性の直接的で視覚的な比較を可能にするような方法で表示することを可能にする棒グラフディスプレイシステムおよび方法を提供することが、望ましいはずである。
【０００５】
一態様では、制御装置およびディスプレイ装置を含むディスプレイを提供する。制御装置は、少なくとも１つのセンサから少なくとも１つの信号を受信し、少なくとも１つの信号は、検知した事象の少なくとも１つの定量的な特性を表す。制御装置はまた、ディスプレイ信号を生成する。ディスプレイ装置は、少なくとも１つのセンサによって送信される少なくとも１つのセンサ信号に対応するディスプレイ画像を描出する。ディスプレイ画像は、検知した事象の少なくとも１つの定量的な特性に対応する数値を図示する少なくとも１つのバーを有する棒グラフを含む。棒グラフはまた、検知した事象の少なくとも１つの定量的な特性の少なくとも１つの定量的な下位要素に対応する少なくとも１つのしるしを有し、少なくとも１つのしるしは、棒グラフの少なくとも１つのバーの上に重ね合わせられる。
【０００６】
別の一態様では、画像を表示するための方法を提供する。本方法は、少なくとも１つのセンサから送信される少なくとも１つのセンサ信号を受信するように制御装置を構成するステップを含み、少なくとも１つのセンサ信号は、検知した事象の少なくとも１つの定量的な特性を表す。本方法は、制御装置によって生成されたディスプレイ信号を受信するためにディスプレイ装置を制御装置と結合するステップをさらに含む。本方法は、少なくとも１つのセンサからディスプレイ装置へ、少なくとも１つのセンサ信号に対応するディスプレイ画像を与えるように制御装置を構成するステップをさらに含む。本方法は、検知した事象の少なくとも１つの定量的な特性に対応する数値を図示する少なくとも１つのバーを含む棒グラフをディスプレイ画像中に形成するステップと、検知した事象の少なくとも１つの定量的な特性の少なくとも１つの定量的な下位要素に対応する少なくとも１つのしるしを有するディスプレイ画像を形成するステップとをさらに含む。本方法は、棒グラフの少なくとも１つのバーの上に少なくとも１つのしるしを重ね合わせるステップをさらに含む。
【０００７】
さらなる態様では、少なくとも１つのセンサと、制御装置と、ディスプレイ装置とを含む装置制御システムを提供する。制御装置は、少なくとも１つのセンサから少なくとも１つの信号を受信し、少なくとも１つの信号は、検知した事象の少なくとも１つの定量的な特性を表す。制御装置は、ディスプレイ信号を生成する。ディスプレイ装置は、少なくとも１つのセンサによって送信される少なくとも１つのセンサ信号に対応するディスプレイ画像を描出し、ディスプレイ画像は、棒グラフを含む。棒グラフは、検知した事象の少なくとも１つの定量的な特性に対応する数値を図示する少なくとも１つのバーを有する。検知した事象の少なくとも１つの定量的な特性の少なくとも１つの定量的な下位要素に対応する少なくとも１つのしるしは、棒グラフの少なくとも１つのバーの上に重ね合わせられる。
【図面の簡単な説明】
【０００８】
【図１】グラフの各バーについて１つの下位要素を示す例示的な多値棒グラフディスプレイの図である。
【図２】描出された複数の下位要素を有する１つのバーを示すもう１つの例示的な多値棒グラフディスプレイの図である。
【図３】各下位要素の描出が、描出される下位要素のもう１つの態様の少なくとも１つの非数値の定性的な特徴的特性を含むさらなる例示的な多値棒グラフディスプレイの図である。
【図４】２つの下位要素が各バーについて示され、各下位要素の描出が、描出される下位要素のもう１つの態様の少なくとも１つの非数値の定性的な特徴的特性を含むさらにもう１つの例示的な多値棒グラフディスプレイの図である。
【図５】多値棒グラフディスプレイを組み込んだ例示的な測定システムの模式的な図である。
【発明を実施するための形態】
【０００９】
本発明の様々な実施形態の具体的な特徴を、ある図面では示し他の図面では示さないことがあるが、これは利便性のためだけである。本発明の原理にしたがえば、図面のいずれかの特徴を、いずれかの他の図面の任意の特徴と組み合わせて参照するおよび／または特許を請求することができる。
【００１０】
図１は、本発明の一実施形態による、グラフの各バーについて１つの下位要素を示す例示的な多値棒グラフディスプレイの図である。より具体的には、ディスプレイ１０を、例えば、測定機器または制御機器（図１には図示せず）において使用することができる。ディスプレイ１０を、中央管理室内の機器パネル上のモニタ、個々の機械もしくは試験装置もしくは測定装置上の制御パネル、デスクトップコンピュータもしくは携帯型コンピュータ用のスクリーン、または適切に装備された電話機上のディスプレイなどの任意の適したディスプレイ装置上に表示することができる。ディスプレイ１０を、コンピュータまたは類似の装置によって、それ以外では従来型の構成要素およびプログラミング技術を使用して動かすことができ、その個々の詳細は、本発明の完全な理解に対しては必ずしも必要ではない。ディスプレイ１０は、２つのバー１１および１２を表示する棒グラフディスプレイである。バー１１および１２は、１つのセンサ（図１には図示せず）から受信した２つの別々の信号チャネルを表すことができ、または別々のセンサから送信された２つの信号を代わりに表すことができる。例えば、振動センサの受信した信号出力および処理した信号出力の両方を表示するように、ディスプレイ１０を構成することができる。
【００１１】
多値棒グラフディスプレイを採用することができる環境の非限定的な例として、振動センサから送信される振動信号が複素信号であり、この信号を２つ以上の下位要素または「関連するパラメータ」へと分解することができ、ここでは、全体の信号（例えば、全体の振動振幅）と全体の信号の特定の下位要素（関係するパラメータ）との間の関係が、既知であり、特定の数学的関係によって規定される。振動信号測定および解析において、全体の信号の絶対値は、下位要素信号の数値よりも大きい。さらにその上、振動測定および解析において、全体の信号と下位要素との間の関係は線形である。しかしながら、例示的な実施形態では、測定の同じ単位を使用して、全体の信号および下位要素の両方ともが測定され（または、例えば、測定装置中のコンピュータもしくはプロセッサ内で、内部的に計算され）、続いて視覚的に描出される。
【００１２】
別の技術分野では、下位要素、または下位要素の数値の少なくとも絶対値は、下位要素に対応する全体の測定値の絶対値よりも大きいことがある。同様に、別の技術分野では、全体の測定値と関心のある特定の下位要素との間の関係が、線形でないことがある。
【００１３】
一実施形態では、下位要素を表すしるしは、下位要素の実際の数値の正確な読み、表記または他の指標を与えることなく、全体の測定値に対する下位要素の関係（例えば、相対的な割合）の指標を与えるように表示される。ディスプレイの観察者は、ディスプレイの解釈を通して下位要素のおおよその数値を求めることができる。別の一実施形態では、下位要素を表すために使用されるチック（ｔｉｃ）または他のしるしの上にまたは隣接して、例えば、ディスプレイ上のディジタル表記によって下位要素についての実際の数値を与えるように、システムを構成することができる。
【００１４】
別の一実施形態では、表示すべき各数値についての別々のバーのための空間を形成せずに、各信号チャネルまたはセンサについて、全体の信号およびその対応する下位要素を同時にモニタすることが、望ましいことがある。図１に示したように、ディスプレイ１０では、チャネル１１についての全体の信号は、垂直バー１４によって表され、これは第１の色でディスプレイ１０中では示される。チャネル１１についての対応する下位要素は、しるしによって表され、これは図１では水平チック１６であり、垂直バー１４に対して（または通して）見えるように選択された十分に対照的な色で図示される。
【００１５】
同様に、チャネル１２についての全体の信号は、垂直バー１８（これを、バー１４と同じ色でまたはチック１６の色とは少なくとも異なる色で示すことができる）によってディスプレイ１０中では表される。対応する下位要素は、もう１つのしるし、すなわち、水平に延びるチック２０（これを、チック１６と同じ色で図示することができるが、垂直バー１８に対してまたは通して見えるように少なくとも十分に対照的な色である）によって示される。
【００１６】
ディスプレイ１０は、バー１４および１８ならびにチック１６および２０の各々が、チャネル１１および１２のセンサ信号の変化にリアルタイムで応答できるように、適切にプログラムされた制御装置（図１には図示せず）によって、それ以外では従来のプログラミング技術および画像生成技術を使用して生成され、その結果、チック１６および２０はまた、それぞれのバー１４および１８とは独立して上下することがある。例えば、チック１６および２０がそれぞれの全体の測定値に対して比例関係である下位要素（例えば、各下位要素が対応する全体測定値の５０％である）を表す場合であり、その時には、バー１４によって表される全体測定値が２単位だけ減少する場合には、対応する下位要素は、１単位だけ減少するはずであり、これに対応してチック１６は、バー１４の動きとは独立して、１単位に対応する大きさ動くはずである。上記はまた、本明細書において説明される、示されるまたは示唆される他のディスプレイの各々に対して適用される。
【００１７】
（チャネル１１および１２についての全体信号を表す）バー１４および１８ならびにそれらの対応する下位要素を表すチック１６および２０を重ね合わせることを、従来の計装機器構成、プログラミング技術およびグラフィックス設計技術を使用することを介して実現することができる。棒グラフ中の各「バー」は、そのバーが最大の数値を示すときには、いずれかのバーによって占有される全面積を表す「フットプリント」を有するように見なされる。「重ね合わせること」は、チックが、ある特定の時間においてその対応するバーによって表される実際の数値とは無関係に、その対応するバーの（直前に定義したような）フットプリント内のどこかに常に位置するという事実を呼ぶ。
【００１８】
水平なチックが各全体の信号についての下位要素を表すために使用されるようにここでは示されているが、しるしが、本発明の範囲から逸脱せずに、それぞれの全体の信号と同じ測定の単位を使用して、（１つまたは複数の）下位要素と下位要素の全体の測定値との間の定量的な関係（例えば、比例関係）の指標を与えることができる限りは、しるしの他の形状またはスタイルを採用することができることを、理解すべきである。
【００１９】
ディスプレイ１０を、ディスプレイシステムの一部として与えることができ、これを順に、全体の装置制御システムへと組み込むことができる、ここでは、「装置制御システム」を、デバイスまたは機械装置の動作を実際に調整するシステムだけでなく、モニタシステムまたは図５に図示したような測定システム１００などの測定システムなどのシステムを含むように理解すべきである。図５は、ディスプレイ１０に関連して本明細書において説明したものなどのディスプレイを採用することができる例示的な測定システム１００の模式図である。例えば、測定システム１００は、ディスプレイシステム１０４に接続された１つまたは複数のセンサ１０２を含むことができ、ディスプレイシステム１０４は、ディスプレイ１０を支援し形成する。ディスプレイシステム１０４は、（１つまたは複数の）センサ１０２によって供給される（１つまたは複数の）生信号１０３を受信するように構成された１つまたは複数のプロセッサ１０６を含むことができる。例示的な実施形態では、制御パネル１０８は、利用者が、例えば、ディスプレイ１０（または本明細書中に示したおよび／もしくは説明する他のディスプレイのうちのいずれか）上に示される画像を選択的に構成すること、および（１つまたは複数の）センサ１０２から送信される（１つまたは複数の）生信号１０３からどの数値を（１つまたは複数の）プロセッサ１０６が求めるかを選択することを可能にする。ディスプレイシステム１０４を、例えば、適切にプログラムしたデスクトップコンピュータまたはラップトップコンピュータとすることができ、そこでは、デスクトップコンピュータまたはラップトップコンピュータの内部プロセッサが（１つまたは複数の）プロセッサ１０６として働き、そのキーボードが制御パネル１０８として機能し、デスクトップコンピュータまたはラップトップコンピュータのスクリーンは、ディスプレイ１０を表示するであろう。
【００２０】
本明細書において使用するように、プロセッサという用語は、コンピュータと本技術分野において呼ばれるこれらの集積回路だけに限定されずに、マイクロコントローラ、マイクロコンピュータ、プログラマブルロジックコントローラ（ＰＬＣ）、特定用途向け集積回路、および他のプログラマブル回路を広く呼び、これらの用語を、本明細書中では互換的に使用する。本明細書において説明する実施形態では、メモリは、ランダムアクセスメモリ（ＲＡＭ）などのコンピュータ可読媒体、およびフラッシュメモリなどのコンピュータ可読不揮発性媒体を含むことができるが、これらに限定されない。あるいは、フロッピディスク、コンパクトディスク−読み出し専用メモリ（ＣＤ−ＲＯＭ）、光磁気ディスク（ＭＯＤ）、および／またはディジタル多用途ディスク（ＤＶＤ）を、やはり使用することができる。また、本明細書において説明する実施形態では、追加の入力チャネルを、マウスおよびキーボードなどのオペレータインターフェースに関係するコンピュータ周辺機器とすることができるが、これらに限定されない。あるいは、例えば、スキャナを含むことができるが、これに限定されない他のコンピュータ周辺機器を、やはり使用することができる。さらにその上、例示的な実施形態では、追加の出力チャネルは、オペレータインターフェースモニタを含むことができるが、これに限定されない。
【００２１】
特定の用途に応じて、オペレータが、ドロップダウンメニューから、ディスプレイへと組み込もうとする多数の下位要素値からなどで選択することが可能であるような方法で、ディスプレイ１０を設定することができる。選択のために利用することができる下位要素値の数は、少なくとも測定される動作、使用されるセンサのタイプ、表示される特定の数値、および／または直接的に測定される値とこれから計算すべき値との間に存在する数学的な（例えば、比例）関係に依存する。
【００２２】
図２は、全体の信号の下位要素のディスプレイが、全体の信号それ自体の数値を表すバーのディスプレイとともに与えられる、もう１つの例示的な多値棒グラフディスプレイ２４である。より具体的には、ディスプレイ２４では、機器の全体の信号値または他の数値パラメータが垂直バー２６によって表される。垂直バー２６によって表されるパラメータの数値は、対応する２つの異なる数値間の数学的関係から求めることができ、例えば、センサの２つの別々のチャネルに対応する振動信号から求めることができる、または代わりに別々のセンサから送信される信号から求めることができる数値である。具体的には、図２では、チャネル３１および３２の信号に対応する下位要素に関係する値が、水平チック３４および３６によって表される。チック３４および３６をバー２６に対して容易に読み取れるようにするために、チック３４および３６は、バー２６の色に対して十分に対照的な色または異なる濃度の色、等の色を使用して描出される。その上、チャネル３１および３２の信号によって表される下位要素とバー２６によって表される全体の信号値との間の数学的な関係の性質に応じて、バー２６ならびにチック３４および３６の各々が、本明細書において説明するように、それぞれの根底にある信号に応じて、相互に独立に動くことができる方式で、ディスプレイ２４を構成する。
【００２３】
全体の測定値に対する下位要素信号の単純な定量的関係を超えて、全体の信号の下位要素に関係する情報を与えることが、望ましいことがある。例えば、特定の下位要素がある臨界しきい値に近づいているかまたは通り過ぎたかどうかを知ること（これによって、例えば、有害な状態または危険な状態を知らせること）が、望ましいことがある。図３は、かかるディスプレイ４０を図示し、ここでは、４つのチャネル４１〜４４からの全体の測定したパラメータが、対応する下位要素５４、５６、５８および６０を有する垂直バー４６、４８、５０および５２によって表される。図３は、もう１つの例示的な多値棒グラフディスプレイの図であり、そこでは、バー４６、４８、５０および５２ならびにそれらの対応するチック５４、５６、５８および６０によって指示される数値を超えるさらに多くの情報が与えられる。より具体的には、バー４６、４８、５０および５２を、１つの第１の色（左から右下がりのハッチングで示す）で図示することができる。下位要素については、臨界しきい値より下の数値を、第２の色（例えば、チック５４および５６について、クロスハッチングなし）で示すことができる。しきい値より大きいが高い方のしきい値よりも小さい下位要素値を、第３の色（チック５８について、格子模様のハッチング）によって表すことができ、しきい値よりも大きい下位要素値を、第４の色（チック６０について、縦線）によって表すことができる。本発明の代替実施形態では、色変更以外の、または追加の例示的な技術を、下位要素値の様々な特性を表すために使用することができる。
【００２４】
図４は、さらにもう１つの例示的な多値棒グラフディスプレイ７０の図である。具体的には、図４では、ディスプレイ７０が、図３のディスプレイ４０の方式と類似の方式で構成され、そこでは、下位要素を表すチック８４、８６、８８、９０、９２、９４、９６および９８を、他の状態特性を指示する色で示すように構成することができる。しかしながら、ディスプレイ７０では、垂直バー７６、７８、８０、８２（それぞれ、チャネル７１、７２、７３および７４を表す）には、それぞれ、チック８４、８６、８８、９０、９２、９４、９６および９８が設けられる。チックの各対８４および８６、８８および９０、９２および９４、９６および９８は、各チャネル７１〜７４の各全体の測定値またはパラメータの２つの下位要素を表す。
【００２５】
上に説明した実施形態は、既知の棒グラフディスプレイと比較して、棒グラフタイプのディスプレイ中に多くの量の情報を表示するために効率的であり費用効率の良い装置および方法を提供する。バーの上に、チックなどのしるしを重ね合わせることは、既知の棒グラフディスプレイと比較して、ディスプレイ面積の指定された大きさの中により多くの情報を与えることを可能にする。バーの上に、チックなどのしるしを重ね合わせることは、関連する数値情報を見るためおよび比較するために複数のスクリーン間を切り替えなければならないこと、または複数のスクリーンもしくは複数の完全なディスプレイ装置を使用しなければならないという利用者にとっての必要性を取り除く。バーの上に、チックなどのしるしを重ね合わせること、および複数のチックに対して差別化する色を使用することは、所与のディスプレイ領域内に、全体の測定値と下位要素測定値との間の関係（例えば、比例関係）などの追加の定量的な情報、ならびに非数値のまたは非定量的な性質の状態情報の両方の提供を容易にする。
【００２６】
多値棒グラフディスプレイおよびこれを実装する方法の例示的な実施形態を、詳細に上に説明している。装置、方法およびシステムは、本明細書において説明した具体的な実施形態に限定されず、むしろ装置および／もしくはシステムの構成要素ならびに／または方法のステップを、本明細書において説明した他の構成要素および／またはステップとは独立におよび別々に利用することができる。例えば、多値棒グラフディスプレイシステムをまた、別の測定システムおよび方法と組み合わせて使用することができ、本明細書において説明したような振動の測定用のシステムでの実施に限定されない。それどころか、多値棒グラフディスプレイ装置、システムおよび方法を、歪測定システム、温度測定システム、および／または流体圧力変動測定システムなどの他のアクティブであり、相対測定システムと関連付けて利用することができる。
【００２７】
この明細書は、最良の形態を含む本発明を開示するため、ならびに任意の層またはシステムを作成することおよび使用すること、および任意の組み込んだ方法を実行することを含む本発明を当業者が実施することをやはり可能にするために例を使用している。本発明の特許可能な範囲は、特許請求の範囲によって規定され、当業者なら思い付く他の例を含むことができる。かかる他の例が特許請求の範囲の文面から逸脱しない構造的要素を有する場合、またはかかる他の例が、特許請求の範囲の文面と実質的でない差異しか有さない等価な構造的要素を含む場合には、かかる他の例は、特許請求の範囲の範囲内であるものとする。
【符号の説明】
【００２８】
１０  ディスプレイ
１１  チャネル
１２  チャネル
１４  バー
１６  チック
１８  バー
２０  チック
２４  多値棒グラフディスプレイ
２６  バー
３１  チャネル
３２  チャネル
３４  チック
３６  チック
４０  ディスプレイ
４１  チャネル
４２  チャネル
４３  チャネル
４４  チャネル
４６  バー
４８  バー
５０  バー
５２  バー
５４  チック
５６  チック
５８  チック
６０  チック
７０  ディスプレイ
７１  チャネル
７２  チャネル
７３  チャネル
７４  チャネル
７６  バー
７８  バー
８０  バー
８２  バー
８４  チック
８６  チック
８８  チック
９０  チック
９２  チック
９４  チック
９６  チック
９８  チック
１００  例示的な測定システム
１０２  センサ
１０３  信号
１０４  ディスプレイシステム
１０６  プロセッサ
１０８  制御パネル
【図１】
2013174881.tif 000003
【図２】
2013174881.tif 000004
【図３】
2013174881.tif 000005
【図４】
2013174881.tif 000006
【図５】
2013174881.tif 000007